(57)【要約】【課題】通信回線ごとの記憶手段により格納されている着信履歴の電話番号とダイアル発信する電話番号を照合し、一致した着信履歴の電話番号が存在する通信回線がある場合、その通信回線を選択してダイアル発信する。【解決手段】通信端末１は回線２，３を接続することが可能な発信者番号通知サービス受信機能を有する通信端末である。通信端末１は制御部１０と回線２，３に対応するメモリ２０，３０を備えている。通信端末１に電話番号が伝達されると制御部１０はメモリ２０、３０を照合して、一致する電話番号が記憶されているメモリに対応する回線から発信する。【選択図】  図２
2005026967.tif 000002
【特許請求の範囲】
【請求項１】
通信可能な複数の通信回線を接続し、それぞれに異なる発信者番号を有する通信端末装置において、
各通信回線に対応して設けられ、着信した発信者の電話番号を着信履歴として記憶する記憶手段と、
前記通信回線に対応して設けられている記憶手段に記憶されている着信履歴の電話番号とダイアル発信する電話番号とを照合する照合手段と、
ダイアル発信可能な通信回線が２以上存在する状態で、それらの通信回線に対応する記憶手段のいずれかに、ダイアル発信する電話番号が記憶されていることを前記照合手段が検出した場合、該記憶手段に対応する通信回線を選択してダイアル発信する制御手段と、
を備えることを特徴とする通信端末装置。
【請求項２】
前記制御手段は、ダイアル発信可能な通信回線が１つ又は複数存在する状態で、その通信回線に対応する記憶手段のいずれにもダイアル発信する電話番号が記憶されていないことを前記照合手段が検出した場合、前記ダイアル発信可能な通信回線を選択してダイアル発信するとともに、同時に発信者番号を通知拒否する情報を付加することを特徴とする請求項１記載の通信端末装置。
【請求項３】
前記制御手段は、ダイアル発信可能な通信回線が２以上存在する状態で、それらの通信回線に対応する記憶手段のいずれにも、ダイアル発信する電話番号が記憶されていないことを前記照合手段が検出した場合、それらの記憶手段に記憶されている着信履歴数の少ない記憶手段に対応する通信回線を選択してダイアル発信することを特徴とする請求項１記載の通信端末装置。
【請求項４】
前記制御手段は、前記選択した通信回線に対応する記憶手段に、ダイアル発信した電話番号を記憶することを特徴とする請求項３記載の通信端末装置。
【請求項５】
前記制御手段は、１つの通信回線への着信時に、前記照合手段が、着信回線に対応する記憶手段に該着信時の発信者電話番号が記憶されず、且つ、着信回線以外の通信回線に対応する記憶手段に該着信時の発信者電話番号が記憶されていることを検出すると、該記憶手段から該電話番号を消去することを特徴とする請求項１記載の通信端末装置。
【請求項６】
前記制御手段は、１つの通信回線への着信時に、前記照合手段が、着信回線に対応する記憶手段に該着信時の発信者電話番号が記憶されず、且つ、着信回線以外の通信回線に対応する記憶手段に該着信時の発信者電話番号が記憶されていることを検出すると、該着信回線を一時的に捕捉して該捕捉期間中に発信者に対して他の通信回線の使用を促す情報を送信し、その後に該着信回線を開放することを特徴とする請求項１記載の通信端末装置。
【発明の詳細な説明】
【０００１】
【発明の属する技術分野】
この発明は、複数の回線を有する通信端末装置のダイアル発信及び着信に関するものである。
【０００２】
【従来の技術】
近年、  複数の回線を接続する通信端末装置ではそれぞれの通信回線ごとの通信履歴を記憶手段として有する技術がある。また、このような技術を応用したものとして前記通信回線ごとの通信履歴を利用して通信レポートや通信管理レポートを出力する技術がある（例えば特許文献１参照。）。
【０００３】
ところで、近年、ＩＳＤＮ網のみならずアナログ網のサービスとして、発信者番号を着信側へ通知するもの（発信者番号通知サービス）がある。このサービスを利用して、複数の回線と内線を接続する電話交換装置において、それぞれの通信回線と内線との対応づけを行い、内線から発信要求があった場合に発信する番号と使用する空き回線とが対応関係に無い場合は着信先への発信者番号の通知拒否を網に対して送出する技術がある（例えば特許文献２参照。）。
【０００４】
【特許文献１】
特開平１１−３０８３９４号公報
【０００５】
【特許文献２】
特開２００１−１４４８５７号公報
【０００６】
【発明が解決しようとする課題】
ところが、従来、複数の回線を接続する通信端末装置では、それぞれの通信回線ごとの通信履歴を記憶する記憶手段を備えていたとしても、その履歴情報をダイアル発信の場合に利用する技術はまだ公表されていない。こういった状況のもとでは以下に説明する問題が生じていた。
【０００７】
図１で示すように複数の回線を接続する通信端末１に２以上の回線、ここでは回線２（番号１２３４）と回線３（番号５６７８）が接続されているものとする。次に回線３（番号５６７８）に対して回線３（番号５６７８）のみが知らされている電話番号「９９９９」の発信者から着信があったとする。次に通信端末１より前記電話番号「９９９９」の相手にダイアル発信する場合、回線２（番号１２３４）と回線３（番号５６７８）の両方が空き状態である場合に通信端末が自動的に回線２（番号１２３４）を選択してダイアル発信した場合、回線３（番号５６７８）のみが知らされている電話番号９９９９の相手には回線２（番号１２３４）の発信者番号通知がなされ、誰からの着信かわからないといった問題があった。また、電話番号９９９９の相手には回線２（番号１２３４）を知られたくないといった場合に、その存在を知られてしまうといった問題があった。
【０００８】
この発明の目的は、前記通信回線ごとの記憶手段により格納されている着信履歴の電話番号とダイアル発信する電話番号を照会し、一致した着信履歴の電話番号が存在する通信回線がある場合、その通信回線を選択してダイアル発信することにある。また、使用できる空き通信回線が１つのみであった場合、空き通信回線の着信履歴にダイアル発信する電話番号が無かった場合、着信先への発信者番号の通知拒否を通信回線に対して送出することにある。
【０００９】
【課題を解決するための手段】
この発明は、通信可能な複数の通信回線を接続し、それぞれに異なる発信者番号を有する通信端末装置において、
各通信回線に対応して設けられ、着信した発信者の電話番号を着信履歴として記憶する記憶手段と、
前記通信回線に対応して設けられている記憶手段に記憶されている着信履歴の電話番号とダイアル発信する電話番号とを照合する照合手段と、
ダイアル発信可能な通信回線が２以上存在する状態で、それらの通信回線に対応する記憶手段のいずれかに、ダイアル発信する電話番号が記憶されていることを照合手段が検出した場合、記憶手段に対応する通信回線を選択してダイアル発信する制御手段と、
を備えることを特徴としている。
【００１０】
この構成では、相手が過去に用いた回線と同じ回線を用いて、発信をすることができる。このため、相手の電話番号表示部には相手が過去に発信者に対してかけた発信者の電話番号を表示させることができ、相手に発信者を容易に認識させることができる。また、相手に他の回線の存在を知られたくない場合も、本発明の構成によりその目的が達成される。
【００１１】
また、この発明は、ダイアル発信可能な通信回線が１つ又は複数存在する状態で、その通信回線に対応する記憶手段のいずれにもダイアル発信する電話番号が記憶されていないことを前記照合手段が検出した場合、前記ダイアル発信可能な通信回線を選択してダイアル発信するとともに、同時に発信者番号を通知拒否する情報を付加することを特徴としている。
【００１２】
この構成では、相手には使用可能な回線の発信者番号は伝達されない。これにより、使用可能な回線の発信者番号通知がされないため、相手の表示は非通知となり、相手が知らない発信者番号を見て知らない者からの電話、という認識とはならない。また、相手に使用可能な回線の存在を知られたくない場合も、本発明の構成によりその目的が達成されることになる。
【００１３】
また、この発明は、ダイアル発信可能な通信回線が２以上存在する状態で、それらの通信回線に対応する記憶手段のいずれにも、ダイアル発信する電話番号が記憶されていないことを前記照合手段が検出した場合、それらの記憶手段に記憶されている着信履歴数の少ない記憶手段に対応する通信回線を選択してダイアル発信することを特徴としている。
【００１４】
この構成では、それぞれの通信回線の使用頻度の平均化が達成される。
また、この発明は、選択した通信回線に対応する記憶手段に、ダイアル発信した電話番号を記憶することを特徴としている。
【００１５】
この構成では、相手の電話番号と自動的に選択した通信回線との対応づけができることとなり、次回からの相手へのダイアル発信は自動的に選択した通信回線を使用するということが達成される。
【００１６】
また、この発明は、１つの通信回線への着信時に、前記照合手段が、着信回線に対応する記憶手段に該着信時の発信者電話番号が記憶されず、且つ、着信回線以外の通信回線に対応する記憶手段に該着信時の発信者電話番号が記憶されていることを検出すると、着信回線に対応する記憶手段から当該電話番号を消去することを特徴としている。
【００１７】
この構成では、１つの通信  （通話）相手に対して常に最新の通信  （通話）で使用した回線を通信端末がダイアル発信する場合に自動的に選択するということが達成される。
【００１８】
また、この発明は、１つの通信回線への着信時に、照合手段が、着信回線に対応する記憶手段に該着信時の発信者電話番号が記憶されず、且つ、着信回線以外の通信回線に対応する記憶手段に該着信時の発信者電話番号が記憶されていることを検出すると、この着信回線を一時的に捕捉して該捕捉期間中に発信者に対して他の通信回線の使用を促す情報を送信し、その後にこの着信回線を開放することを特徴としている。
【００１９】
この構成では、電話の相手とは所定の回線を使用してのみ通信  （通話）したいといった使用上の要求を達成できる。例えば、所定の回線を一時的に捕捉している間にアナウンス（他の通信回線の使用を促す情報）を送出するなどの方法で実現可能である。
【００２０】
【発明の実施の形態】
以下に、本発明の実施形態に係る通信端末装置について図面を参照しつつ詳細に説明する。図２は通信端末装置が着信する場合を示している。図４及び図５は通信端末装置がダイアル発信する場合を示している。
【００２１】
図２，図４及び図５において、通信端末１は複数の回線を接続することが可能な発信者番号通知サービス受信機能を有する通信端末である。通信端末１は制御部１０とメモリ２０，３０を備えている。制御部１０は通信端末１の全体の動作を制御し、照合手段１１、回路選択手段１２、発信着信制御手段１３と、を備えている。回線２は通信端末１に接続されている第１の通信回線であって電話番号「１２３４」で識別される。回線３は通信端末１に接続されている第２の通信回線であって電話番号「５６７８」で識別される。メモリ２０は回線２に着信があった場合、発信者番号通知サービスにより通信回線から伝達された発信者番号を履歴情報として格納しておく回線２に対応するメモリである。メモリ３０は回線３に着信があった場合、  発信者番号通知サービスにより通信回線から伝達された発信者番号を履歴情報として格納しておく回線３に対応するメモリである。照合手段１１は通信回線ごとのメモリ２０，３０に記憶されている着信履歴の電話番号とダイアル発信する電話番号を照合する。回線選択手段１２は前記照合手段１１の結果により使用する回線を選択する。発信着信制御手段１３は通信端末１から発信するときの発信制御と受信するときの受信制御を行う。
【００２２】
上記の構成からなる通信端末装置において、まず、通信端末１に着信があった場合について図２と図３を参照して説明する。図３は着信時の動作を示すフローチャートである。通信端末１には回線２に対する着信履歴としてメモリ２０があり、電話番号「３３３３」、「４４４４」及び「５５５５」が格納されているものとする。また、回線３に対する着信履歴としてメモリ３０があり、電話番号「６６６６」及び「７７７７」が格納されているものとする。
【００２３】
今、回線３に電話番号「８８８８」から着信があったとする。発信者番号「８８８８」は発信者番号通知サービスにより通信端末１に伝達され、これを発信着信制御手段１３が検出して着信制御する（Ｓ１）。通信端末１の制御部１０は伝達された発信者番号「８８８８」が回線３より伝達されたことから、回線３用の着信履歴を格納する記憶手段であるメモリ３０（Ｓ２）及び回線２用の着信履歴を格納する記憶手段であるメモリ２０を順に参照し（Ｓ３）、電話番号「８８８８」が記憶されていなければメモリ３０に追加格納して（Ｓ７）着信処理する（Ｓ８）。
【００２４】
次に、空き回線が複数存在する場合の通信端末１がダイアル発信する場合について図４と図７とを参照して説明する。図７は発信時の動作を示すフローチャートである。
【００２５】
通信端末１が電話番号「８８８８」にダイアルする場合、まず、この電話番号を入力し（Ｓ１１）第１の回線である回線２が使用中でないか否かを制御部１０が判断する（Ｓ１２）。回線２が空き回線であった場合、次に回線２の着信履歴が格納されているメモリ２０の内容とダイアル発信する電話番号「８８８８」を照合手段１１が照合する（Ｓ１３）。メモリ２０には電話番号「３３３３」、「４４４４」  及び「５５５５」が格納されている為、ダイアル発信する電話番号「８８８８」と一致するものは無い。次に第２の回線である回線３が使用中でないか否かを制御手段１０が判断する（Ｓ１５）。回線３が空き回線であった場合、次に回線３の着信履歴が格納されているメモリ３０の内容とダイアル発信する電話番号「８８８８」を照合手段１１が照合する（Ｓ１７）。メモリ３０には電話番号「６６６６」、「７７７７」  及び「８８８８」が格納されており、ダイアル発信する電話番号「８８８８」と一致する電話番号が存在する。この為、通信端末１の回線選択手段１２は回線３を選択して発信着信制御手段１３が電話番号「８８８８」をダイアル発信することで回線３の番号「５６７８」が発信者番号として電話番号「８８８８」の相手に伝達される（Ｓ１９）。これにより、通信端末１は過去に電話番号「８８８８」の相手から回線３で電話がかけられているので、「８８８８」の相手は発信者番号通知により、発信者の番号が「５６７８」と表示されるため容易に発信者側を認識することが可能である。また、電話番号「８８８８」の相手に回線２（番号１２３４）の存在を知られたくない場合も、これにより目的が達成されることとなる。
【００２６】
次に、空き回線が１つしかない場合の通信端末１がダイアル発信する場合について図５と図７とを参照して説明する。通信端末１が電話番号「８８８８」にダイアルする場合、制御部１０はまずこの電話番号が入力されると（Ｓ１１）第１の回線である回線２が使用中でないか否かを判断する（Ｓ１２）。回線２が空き回線であった場合、  次に回線２の着信履歴が格納されているメモリ２０の内容とダイアル発信する電話番号「８８８８」を照合手段が照合する（Ｓ１３）。メモリ２０には電話番号「３３３３」、「４４４４」及び「５５５５」が格納されている為、ダイアル発信する電話番号「８８８８」と一致するものは無い。次に第２の回線である回線３が使用中でないか否かを照合手段が判断する（Ｓ１５）。回線３が使用中である為、使用できる回線は回線２だけである。この場合、回線選択手段１２により回線２を選択してダイアル発信することになるが、  前記回線２の着信時の照合において、ダイアル発信する電話番号「８８８８」と照合して、一致するものが無かった為、回線２を使用してダイアル発信する際に、発信着信制御手段１３は、発信者番号の通知拒否である「１８４」等をダイアル番号の先頭に自動的に付加する（Ｓ１６）。このため電話番号「８８８８」の相手には回線２の発信者番号「１２３４」は伝達されることなく、回線２２で発信される（Ｓ１４）。これにより、過去に通信端末１は電話番号「８８８８」の相手から回線３で電話がかけられているので「８８８８」の相手には回線２の発信者番号通知がされないことから、相手側の通信端末のユーザが知らない者からの電話との認識にはならない。また、電話番号「８８８８」の相手に回線２（番号１２３４）の存在を知られたくない場合も、これにより目的が達成されることとなる。
【００２７】
次に、通信端末１がメモリ２０，３０に記憶されていない電話番号「９９９９」をダイアル発信する場合につい図６と図７とを参照して説明する。この場合、第１に、回線２の着信履歴であるメモリ２０に格納されている電話番号とダイアル発信する電話番号「９９９９」を照合手段１１により照合する（Ｓ１３）。メモリ２０には一致する電話番号は存在しない。第２に、回線３の着信履歴であるメモリ３０に格納されている電話番号とダイアル発信する電話番号「９９９９」を照合手段１１により照会する（Ｓ１７）。メモリ３０には一致する電話番号は存在しない。いずれの通信回線の着信履歴にも電話番号「９９９９」は存在しないことが判明したことにより、第３に制御部１０はメモリ２０とメモリ３０の着信履歴数を比較する（Ｓ１８）。メモリ２０が着信履歴２件であり、メモリ３０は３件であってメモリ２０のほうが着信履歴数は少ないことからダイアル発信はメモリ２０に対応する回線２を使用して行なわれる（Ｓ１４）。電話番号「９９９９」の相手には発信者番号通知サービスにより回線２の電話番号「１２３４」が通知されることとなり、電話番号「９９９９」の相手が電話をかけなおす（コールバック）場合、回線２に対して行なわれる可能性が大きくなる。このことから、それぞれの通信回線の使用頻度の平均化が達成されることとなる。また電話番号「９９９９」が回線２を使用してダイアル発信されたことにより電話番号「９９９９」を回線２に対応する着信履歴であるメモリ２０に追加する。これにより電話番号「９９９９」へのダイアル発信は回線２を使用するということが達成される。このとき、”着信履歴に電話番号がなければ、発信者番号の通知拒否である「１８４」等をダイアル番号の先頭に自動的に付加するモード”を有効である場合には、メモリ２０に電話番号を追加しない機能、又は発信時に追加された着信履歴であることを示すフラグを電話番号に付加し記憶し、発信時に同フラグがセットされている発信者に対しては、発信者番号の通知拒否である「１８４」等をダイアル番号の先頭に自動的に付加する機能等を備えている。
次に、通信端末１に接続されている回線３（発信者電話番号が回線２の対応メモリ２０に記憶されている）に着信があった場合について図８と図３とを参照して説明する。発信者番号通知サービスにより発信者の電話番号「５５５５」が通知される。この電話番号「５５５５」は回線３に対応する着信履歴であるメモリ３０に記憶されていないので（Ｓ２）着信呼び出し中の回線３以外の回線である回線２に対応する着信履歴であるメモリ２０に格納されている電話番号と前記発信者の電話番号「５５５５」を照合手段１１が照合する（Ｓ３）。ここで着信拒否をしなければ（Ｓ４）、一致した電話番号が存在するため制御部１０はメモリ２０の電話番号「５５５５」を消去し（Ｓ６）、メモリ３０に追加記憶する（Ｓ７）。これにより次回から電話番号「５５５５」の相手に通信端末１が再ダイアル発信する場合、回線３が使用されることとなり、１つの通信（通話）相手に対して常に最新の通信（通話）で使用した回線を通信端末がダイアル発信する場合に自動的に選択するということが達成される。なお、前記説明では、メモリ２０の「５５５５」を消去してからメモリ３０に記憶したが、先にメモリ３０に記憶した後にメモリ２０を消去してもよい。
【００２８】
また、前記メモリ２０の着信履歴との照合において発信者の電話番号「５５５５」に一致した電話番号が存在する場合について、図９と図３を参照して説明する。この場合メモリ２０から電話番号「５５５５」を消去するのではなく、着信呼び出し中の回線３を一時的に捕捉し（Ｓ５）、一定時間が経過した後に回線３を開放する。このような制御を行うことで呼び出し中止、すなわち着信を拒否することも可能である。これにより電話番号「５５５５」の相手とは回線２を使用してのみ通信（通話）したいといった使用上の要求を達成できる。例えば、前記回線３を一時的に捕捉している間にアナウンス（他の通信回線の使用を促す情報）を送出するなどの方法で実現可能である。
【００２９】
【発明の効果】
この発明によれば、相手が過去に用いた回線と同じ回線を用いて、発信をすることができる。このため、相手の電話番号表示部には相手が過去に発信者に対してかけた発信者の電話番号を表示させることができ、相手に発信者を容易に認識させることができる。また、相手に他の回線の存在を知られたくない場合も、本発明の構成によりその目的が達成される。
【００３０】
また、この発明によれば相手には使用可能な回線の発信者番号は伝達されない。これにより、使用可能な回線の発信者番号通知がされないため、相手の表示は非通知となり、相手が知らない発信者番号を見て知らない者からの電話、という認識とはならない。また、相手に使用可能な回線の存在を知られたくない場合も、本発明の構成によりその目的が達成されることになる。
【００３１】
また、この発明によればれぞれの通信回線の使用頻度の平均化が達成される。また、この発明によれば相手の電話番号と自動的に選択した通信回線との対応づけができることとなり、次回からの相手へのダイアル発信は自動的に選択した通信回線を使用するということが達成される。
【００３２】
また、この発明によれば１つの通信  （通話）相手に対して常に最新の通信  （通話）で使用した回線を通信端末がダイアル発信する場合に自動的に選択するということが達成される。
【００３３】
また、この這発明によれば電話の相手とは所定の回線を使用してのみ通信  （通話）したいといった使用上の要求を達成できる。例えば、所定の回線を一時的に捕捉している間にアナウンス（他の通信回線の使用を促す情報）を送出するなどの方法で実現可能である。
【図面の簡単な説明】
【図１】複数の回線を接続することが可能な通信端末装置の概略図
【図２】着信の場合における通信端末の動作を説明するための概略構成図
【図３】着信の場合における通信端末の動作を説明するためのフローチャート
【図４】発信の場合における通信端末の動作を説明するための概略構成図
【図５】発信の場合における通信端末の動作を説明するための概略構成図
【図６】発信の場合における通信端末の動作を説明するための概略構成図
【図７】発信の場合における通信端末の動作を説明するためのフローチャート
【図８】着信の場合における通信端末の動作を説明するための概略構成図
【図９】着信の場合における通信端末の動作を説明するための概略構成図
【図１】
2005026967.tif 000003
【図２】
2005026967.tif 000004
【図３】
2005026967.tif 000005
【図４】
2005026967.tif 000006
【図５】
2005026967.tif 000007
【図６】
2005026967.tif 000008
【図７】
2005026967.tif 000009
【図８】
2005026967.tif 000010
【図９】
2005026967.tif 000011